(57)【要約】【課題】簡単な操作でラベルに所望の文字や数字を印字できるようにする。【解決手段】ＬＣＤが、複数の使用者名及び複数の商品名を表示する。入力操作部が、ＬＣＤによって表示された複数の使用者名から所望の使用者名を受け付けて使用者名情報を選択し、かつ、ＬＣＤによって表示された複数の商品名の中から所望の商品名を受け付けて商品名情報を選択する。制御手段が、入力操作部によって選択された使用者名情報と商品名情報とを合成して印字情報を作成する。印字ユニットが、制御手段によって作成された印字情報から所望の使用者名及び所望の商品名をラベルに印字する。この構成により、ＬＣＤに表示される項目が使用者名のみ又は商品名のみになり、従来に比べて使用者名及び生産者名を選択する項目が削減できるようになる。この結果、生産者が所望の項目を見つけやすくなり、簡単な操作でラベルに所望の文字や数字を印字できる。【選択図】図８
2010284955.tif 000002
【特許請求の範囲】
【請求項１】
複数の使用者名及び複数の商品名が使用者名情報及び商品名情報に分類され、該分類された前記使用者名情報及び前記商品名情報に基づいて前記複数の使用者名及び前記複数の商品名を表示する表示手段と、
前記表示手段によって表示された前記複数の使用者名から所望の使用者名を受け付けて前記使用者名情報を選択し、かつ、前記表示手段によって表示された前記複数の商品名の中から所望の商品名を受け付けて前記商品名情報を選択する選択手段と、
前記選択手段によって選択された前記使用者名情報と前記商品名情報とを合成して印字情報を作成する制御手段と、
前記制御手段によって作成された前記印字情報から前記所望の使用者名及び前記所望の商品名をラベルに印字する印字手段とを備えることを特徴とするラベルプリンタ。
【請求項２】
前記複数の使用者名が記述されるファイルには前記使用者名に対応した識別情報が記述され、
前記表示手段は、
前記識別情報を表示し、
前記入力手段は、
前記表示手段に表示された前記識別情報を入力することを特徴とする請求項１に記載のラベルプリンタ。
【請求項３】
前記複数の商品名が記述されるファイルには前記商品名に対応した識別情報が記述され、
前記表示手段は、
前記識別情報を表示し、
前記入力手段は、
前記表示手段に表示された前記識別情報を入力することを特徴とする請求項１に記載のラベルプリンタ。
【請求項４】
前記複数の商品名が記述されるファイルには、
少なくとも、前記商品の価格及び前記商品の生産地が更に記述されることを特徴とする請求項１又は３に記載のラベルプリンタ。
【請求項５】
前記制御手段には記憶手段が設けられ、
前記記憶手段は、
前記印字手段で印字したラベルに関する印字履歴を記憶することを特徴とする請求項１に記載のラベルプリンタ。
【請求項６】
前記複数の使用者は、前記複数の商品を生産した生産者であり、
前記印字履歴には、
少なくとも、前記生産者、前記商品名、前記印字手段で印字したラベルの枚数及び前記印字手段でラベルを印字した日時が含まれることを特徴とする請求項１又は５に記載のラベルプリンタ。
【請求項７】
請求項１乃至６のいずれかに記載のラベルプリンタと、
前記ラベルプリンタに接続され、前記ラベルプリンタから出力されるラベルの発行枚数に関する枚数情報を取得し、かつ、前記ラベルプリンタによって印字されたラベルから使用者名に対応した識別情報及び商品名に対応した識別情報を取得して、使用者に支払う代金を算出する情報管理装置とで構成されたことを特徴とする商品販売システム。
【発明の詳細な説明】
【技術分野】
【０００１】
本発明は、生産者名が記述された生産者リストファイル及び商品名が記述された品名リストファイルを用意して、簡単な操作でラベルに印字できるラベルプリンタ及びそのラベルプリンタを用いた商品販売システムに関するものである。
【背景技術】
【０００２】
現在、農産物等を生産した複数の生産者がスーパーマーケットや農産物の直売所のような１つの店舗に当該農産物等を設置して販売する販売システムがある。この農産物には、当該農産物の名前、生産者の名前、生産地等がわかるように、それらが印字されたラベルが貼り付けられる。このラベルは、ラベルプリンタと称されるラベルに文字や数字等を印字する印刷装置で作製される。上述の店舗で使用されるラベルプリンタには情報管理装置が接続され、当該情報管理装置は、当該ラベルプリンタで印字されたラベルの内容を読み取ることで農産物の売り上げを管理するものである。
【０００３】
引用文献１には通信機能を有するラベルプリンタで収集した情報を管理する情報管理装置について開示されている。この情報管理装置によれば、ラベルプリンタが有する印字情報のうち、商品の価格やその内容量等をラベル発行記録情報として収集する。その収集したラベル発行記録情報から、商品の品名、商品の価格、ラベル発行日及びラベル発行枚数等を記憶して売り上げの管理等を行うようにしたものである。
【０００４】
図１１は、従来例に係るラベルプリンタが有する生産者・品名リストファイルＦ４の記述例を示す表図である。図１１に示すように、従来例に係るラベルプリンタでは、生産者の名前、商品の名前及び商品の価格を生産者・品名リストファイルＦ４に記述して、当該生産者・品名リストファイルＦ４を読み出して表示する。
【０００５】
例えば、生産者・品名リストファイルＦ４には、「生産者：ＡＢＣ、商品名：トマト、価格：１００円」、「生産者：ＡＢＣ、商品名：なす、価格：２００円」、「生産者：ＡＢＣ、商品名：きゅうり、価格：５０円」、「生産者：ＤＥＦ、商品名：トマト、価格：１００円」、「生産者：ＤＥＦ、商品名：なす、価格：２００円」、「生産者：ＤＥＦ、商品名：きゅうり、価格：５０円」、「生産者：ＧＨＩ、商品名：トマト、価格：１００円」、「生産者：ＧＨＩ、商品名：なす、価格：２００円」、「生産者：ＧＨＩ、商品名：きゅうり、価格：５０円」というような情報が記述される。
【０００６】
生産者・品名リストファイルＦ４は、ラベルプリンタが備える表示手段によって図１１のように表示される。そして、例えば、生産者であるＡＢＣがきゅうりに貼り付けるラベルを発行するときに、表示手段によって表示された生産者・品名リストファイルＦ４を生産者のＡＢＣが閲覧して、「生産者：ＡＢＣ、商品名：きゅうり、価格：５０円」を探し出して選択する。
【先行技術文献】
【特許文献】
【０００７】
【特許文献１】特開２００９−６９９１３号公報
【発明の概要】
【発明が解決しようとする課題】
【０００８】
ところで、引用文献１及び従来例に係るラベルプリンタは、生産者・品名リストファイルＦ４によって生産者、商品の品名及び商品の価格等が印字されたラベルから売り上げの管理等を行うことができる。しかしながら、表示手段に生産者・品名リストファイルＦ４を表示するときに、例えば、商品名の数が１００品目あり、生産者が３００名登録されていた場合、１００品目×３００名＝３００００項目の中から所望の項目を探し出さなければならなくなり、ラベルを作製する作業は非常に煩雑なものであった。
【０００９】
本発明はこのような課題を解決したものであって、ラベルプリンタの使用者が所望の項目を見つけやすくなり、簡単な操作でラベルに所望の文字や数字を印字できるラベルプリンタ及びそのラベルプリンタを用いた商品販売システムを提供することを目的とする。
【課題を解決するための手段】
【００１０】
上述の課題を解決するために、本発明に係るラベルプリンタは、複数の使用者名及び複数の商品名が使用者名情報及び商品名情報に分類され、該分類された使用者名情報及び商品名情報に基づいて複数の使用者名及び複数の商品名を表示する表示手段と、表示手段によって表示された複数の使用者名から所望の使用者名を受け付けて使用者名情報を選択し、かつ、表示手段によって表示された複数の商品名の中から所望の商品名を受け付けて商品名情報を選択する選択手段と、選択手段によって選択された使用者名情報と商品名情報とを合成して印字情報を作成する制御手段と、制御手段によって作成された印字情報から所望の使用者名及び所望の商品名をラベルに印字する印字手段とを備えることを特徴とするものである。
【００１１】
本発明に係るラベルプリンタでは、表示手段が、複数の使用者名及び複数の商品名が使用者名情報及び商品名情報に分類され、該分類された使用者名情報及び商品名情報に基づいて複数の使用者名及び複数の商品名を表示する。選択手段が、表示手段によって表示された複数の使用者名から所望の使用者名を受け付けて使用者名情報を選択し、かつ、表示手段によって表示された複数の商品名の中から所望の商品名を受け付けて商品名情報を選択する。制御手段が、選択手段によって選択された使用者名情報と商品名情報とを合成して印字情報を作成する。印字手段が、制御手段によって作成された印字情報から所望の使用者名及び所望の商品名をラベルに印字する。
【００１２】
この構成により、使用者名のみ又は商品名のみを表示手段に表示させることができるようになる。これにより、従来に比べて使用者名及び生産者名を選択する項目が削減できるようになる。
【００１３】
また、本発明に係る商品販売システムは、上述のラベルプリンタと、このラベルプリンタに接続され、このラベルプリンタから出力されるラベルの発行枚数に関する枚数情報を取得し、かつ、ラベルプリンタによって印字されたラベルから使用者名に対応した識別情報及び商品名に対応した識別情報を取得して、使用者に支払う代金を算出する情報管理装置とで構成されたことを特徴とするものである。
【発明の効果】
【００１４】
本発明に係るラベルプリンタによれば、従来に比べて使用者名及び商品名を選択する項目が削減できるので、使用者が所望の項目を見つけやすくなり、簡単な操作でラベルに所望の文字や数字を印字できるラベルプリンタを提供することができる。
【００１５】
また、本発明に係る商品販売システムによれば、ラベルプリンタの使用者にラベルの発行に関する代金を請求できる。
【図面の簡単な説明】
【００１６】
【図１】第１の実施の形態に係るラベルプリンタ１００の構成例を示す斜視図である。
【図２】入力操作部７４の構成例を示す平面図である。
【図３】ラベルプリンタ１００の制御系の構成例を示すブロック図である。
【図４】生産者リストファイルＦ１の記述例を示す表図である。
【図５】品名リストファイルＦ２の記述例を示す表図である。
【図６】ラベル３０の構成例を示す平面図である。
【図７】発行履歴ファイルＦ３の記述例を示す表図である。
【図８】ラベルプリンタ１００の動作例を示すフローチャートである。
【図９】第２の実施の形態に係る商品販売システム１の構成例を示すブロック図である。
【図１０】商品販売システム１の動作例を示すフローチャートである。
【図１１】従来例に係る生産者・品名リストファイルＦ４の記述例を示す表図である。
【発明を実施するための形態】
【００１７】
以下、図面を参照しながら本発明に係るラベルプリンタについて説明する。本実施の形態に係るラベルプリンタ１００は、表示手段の一例であるＬＣＤ７５が、複数の使用者名及び複数の商品名が使用者名情報及び商品名情報に分類され、該分類された使用者名情報及び商品名情報に基づいて複数の使用者名及び複数の商品名を表示する。選択手段の一例である入力操作部７４が、ＬＣＤ７５によって表示された複数の使用者名から所望の使用者名を受け付けて使用者名情報を選択し、かつ、ＬＣＤ７５によって表示された複数の商品名の中から所望の商品名を受け付けて商品名情報を選択する。制御手段８が、入力操作部７４によって選択された使用者名情報と商品名情報とを合成して印字情報を作成する。印字手段の一例である印字ユニット７が、制御手段８によって作成された印字情報から所望の使用者名及び所望の商品名をラベルに印字する。この構成により、ＬＣＤ７５に表示される項目が使用者名のみ又は商品名のみになる。これにより、ラベルプリンタ１００は、従来に比べて使用者名及び生産者名を選択する項目が削減できるようになるものである。
【００１８】
＜第１の実施の形態＞  
［ラベルプリンタ１００の構成例］  
図１は、第１の実施の形態に係るラベルプリンタ１００の構成例を示す斜視図である。図１に示すように、ラベルプリンタ１００は、当該ラベルプリンタ１００を使用する使用者名の一例である農産物等の商品を生産した生産者名及びその生産した商品名をラベル印字用のロール紙に印字したラベル３０を出力するものである。ラベルプリンタ１００は、装置本体部１０１を備える。装置本体部１０１は、所定のデザインにより樹脂成形された上部筐体１１及び下部筐体１２から構成される。上部筐体１１と下部筐体１２とは、ヒンジ機構１３で開閉自在に係合される。
【００１９】
下部筐体１２内には、図示しないラベル印字用のロール紙や、図３に示すような印字ユニット７、制御手段８等が実装される。上部筐体１１の上面には、選択手段の一例である入力操作部７４及び表示手段の一例である液晶ディスプレイ（以下、ＬＣＤ７５という）が設けられる。入力操作部７４は、ラベル３０に所望の文字や数字を入力する際に操作される。この例では、ラベル３０は、生産者名や商品名が印字されて、装置本体部１０１の前面側の上部筐体１１と下部筐体１２との境界付近から出力するようになされる。
【００２０】
図２は、入力操作部７４の構成例を示す平面図である。図２に示すように、入力操作部７４には、テンキーを成す数字「１」〜「９」，「０」キーＫ１〜Ｋ１０、変換／空白キーＫ１１、発行キーＫ１２、確定キーＫ１３、停止・削除キーＫ１４、テスト印刷キーＫ１５、十字キーＫ１６、入力キーＫ１７、日付キーＫ１８、取消キーＫ１９、編集キーＫ２０及びシフトキーＫ２１等が配設される。
【００２１】
数字「１」〜「９」，「０」キーＫ１〜Ｋ１０は、例えば、図６に示すラベル３０に印字される生産者について、図４に示す生産者リストファイルＦ１から生産者の識別情報である生産者コードを入力するように操作される。また、ラベル３０に印字される商品名について、図５に示す品名リストファイルＦ２から商品名の識別情報である品名コードを入力する際にも、「１」〜「９」，「０」キーＫ１〜Ｋ１０が操作される。更に、ラベル３０の発行枚数を設定する際にも、数字「１」〜「９」，「０」キーＫ１〜Ｋ１０を操作して数量等を入力するようになされる。
【００２２】
発行キーＫ１２は、ラベル３０を発行する際に操作される。テスト印刷キーＫ１５は、ラベル３０を試しに印字出力する際に操作される。他の変換／空白キーＫ１１や、確定キーＫ１３、停止・削除キーＫ１４、十字キーＫ１６、入力キーＫ１７、日付キーＫ１８、取消キーＫ１９、編集キーＫ２０、シフトキーＫ２１等は生産者リストファイルＦ１及び品名リストファイルＦ２に記述される項目を選択又は簡易編集する際に使用される。
【００２３】
［ラベルプリンタ１００の制御系の構成例］  
図３は、ラベルプリンタ１００の制御系の構成例を示すブロック図である。図３に示すように、ラベルプリンタ１００は、生産者名や商品名をラベル３０に印字出力するために、印字手段の一例である印字ユニット７、制御手段８、入力操作部７４、ＬＣＤ７５、内部メモリ７８及び外部メモリ７９で構成される。
【００２４】
制御手段８はＣＰＵ（Central Processing Unit；中央処理ユニット）８０、ＲＯＭ（Read Only Memory）８１、ワーク用のＲＡＭ（Random Access Memory）８２、システムバス８３及びＩ／Ｏインタフェース（以下、Ｉ／Ｏ８６という）を備える。
【００２５】
ＣＰＵ８０にはシステムバス８３を介してＲＯＭ８１が接続される。ＲＯＭ８１は、ラベルプリンタ１００を制御するためのシステム起動用のプログラムデータ（以下、プログラムデータＤ８１という）が格納される。システムバス８３にはＲＡＭ８２が接続される。ＲＡＭ８２は、プログラムデータＤ８１、内部記憶データＤ８２、編集処理実行時の制御コマンド及びレイアウトデータ等を一時記憶する。
【００２６】
ＣＰＵ８０は、ラベルプリンタ１００の電源が入ると、ＲＯＭ８１からプログラムデータＤ８１をＲＡＭ８２へ読み出してシステムを起動して、当該ラベルプリンタ１００を制御する。ＣＰＵ８０にはＩ／Ｏ８６が接続される。Ｉ／Ｏ８６は、入力操作部７４やＬＣＤ７５等のユーザインタフェースの入出力を制御する。例えば、Ｉ／Ｏ８６は、入力操作部７４で操作されて出力されたシステム起動に関するデータや、複数の使用者名及び複数の商品名が使用者名情報及び商品名情報に分類されたデータである操作データＤ７４を受信する。
【００２７】
この例では、入力操作部７４は、ラベル３０の発行枚数を設定する際の数量、ラベル３０の発行、そのテスト印刷、生産者リストファイルＦ１及び品名リストファイルＦ２に記述される項目を選択又は簡易編集する際に入力される操作データＤ７４をＩ／Ｏ８６に入力するようになされる。ＣＰＵ８０は、Ｉ／Ｏ８６に入力された操作データＤ７４を受信して、それを内部記憶データＤ８２としてＲＡＭ８２に記憶し、該記憶した内部記憶データＤ８２に含まれる使用者名情報及び商品名情報を合成して印字情報を作成する。
【００２８】
ＬＣＤ７５には、レイアウト情報が表示されると共に、入力操作部７４での入力情報を表示するようになされる。レイアウト情報は、上述した生産者名及び商品名に関する項目が所定サイズのラベル３０に表示できるようにレイアウト化された情報である。レイアウト情報は表示データＤ７５に基づいてＬＣＤ７５に表示される。
【００２９】
印字ユニット７は、プリンタ機能を達成するためにＣＰＵ８０の管理下に置かれ、ラベル搬送系７１、印字ヘッド７２、ロール紙装填検知部７６及びプリンタ制御部７７を備え、生産者名及び商品名等をラベル３０に印字して出力する。
【００３０】
ＣＰＵ８０にはシステムバス８３を介してプリンタ制御部７７が接続される。プリンタ制御部７７にはロール紙装填検知部７６が接続される。ロール紙装填検知部７６は、ロール紙が空となったとき、ロール紙の装填を検知して紙装填検知データＤ７６をプリンタ制御部７７に出力する。紙装填検知データＤ７６は、新しいロール紙が交換された装填回数を検知して印字ヘッド７２の交換を促すようになされる。
【００３１】
プリンタ制御部７７にはラベル搬送系７１及び印字ヘッド７２が接続される。プリンタ制御部７７は、ＣＰＵ８０から出力された印字情報を含むプリンタ制御データＤ７７を入力すると共に、ロール紙装填検知部７６から出力された紙装填検知データＤ７６を入力してラベル搬送系７１及び印字ヘッド７２の出力制御等を実行する。ラベルプリンタ１００は、プリンタ制御部７７がＣＰＵ８０の制御を分担するので、その制御負担が軽減される。
【００３２】
ラベル搬送系７１は、プリンタ制御部７７によって出力された搬送制御データＤ７１を入力して印字ヘッド７２にロール紙を搬送する。印字ヘッド７２は、プリンタ制御部７７によって出力された印字情報を含む印字制御データＤ７２が入力される。そして、印字ヘッド７２は、ラベル搬送系７１によって搬送されたラベル用のロール紙に生産者名及び商品名等を印字してラベル３０を出力する。例えば、印字ヘッド７２には通常ラインヘッドの感熱ヘッドが使用されるが、本発明に係る感熱ヘッドはラインヘッドに限定されるものではない。
【００３３】
内部メモリ７８は、後述する外部メモリ７９から出力された生産者リストファイルＦ１及び品名リストファイルＦ２を使用者名情報及び商品名情報として記憶する。また、内部メモリ７８は、発行履歴ファイルＦ３を履歴情報として記憶する。発行履歴ファイルＦ３は、ＲＡＭ８２に履歴情報として一時記憶され、該一時記憶されたＲＡＭ８２から転送されるものである。発行履歴ファイルＦ３には、生産者名、商品名、ラベル３０の発行枚数及びラベル３０の発行日等が含まれる。このような発行履歴ファイルＦ３を内部メモリ７８に保存することで、厳密に誰が何時、どのような内容のラベル３０を発行したかを管理できるようになる（図７参照）。
【００３４】
内部メモリ７８には、例えば、電源が切られても記録情報が失われないＥＥＰＲＯＭ（Electrically Erasable Programmable ROM）等の不揮発性のメモリが使用される。ＣＰＵ８０は、内部メモリ７８に記憶された生産者リストファイルＦ１、品名リストファイルＦ２及び発行履歴ファイルＦ３を読み出してＲＡＭ８２に一時記憶させる。ＲＡＭ８２に一時記憶された生産者リストファイルＦ１、品名リストファイルＦ２及び発行履歴ファイルＦ３は、ＣＰＵ８０が表示制御することでＬＣＤ７５に表示される。
【００３５】
上述のシステムバス８３には外部メモリ７９用のインタフェース（以下、インタフェース７３という）が接続される。インタフェース７３は、生産者リストファイルＦ１及び品名リストファイルＦ２が記憶された外部メモリ７９が装着可能である。外部メモリ７９には、持ち運び可能な不揮発性のメモリとなる、例えば，ＵＳＢメモリやコンパクトフラッシュ（登録商標）等が使用される。ラベルプリンタ１００は、インタフェース７３を介して、外部メモリ７９に記憶された生産者リストファイルＦ１、品名リストファイルＦ２及び発行履歴ファイルＦ３を取得して内部メモリ７８に保存する。
【００３６】
システムバス８３にはインタフェース７３の他に、外部接続用のインタフェース（以下、インタフェース８４という）が接続される。インタフェース８４は外部端子８５に接続される。外部端子８５にはパーソナルコンピュータ等の情報端末装置（図示しない）が接続され、ラベルプリンタ１００は、インタフェース８４を介して当該情報端末装置と通信可能となる。ラベルプリンタ１００は、この通信によって、生産者リストファイルＦ１及び品名リストファイルＦ２を情報端末装置から直接取得するようになされる。また、外部端子８５は、通信用のモデムが接続されるように構成されていてもよい。この場合、外部端子８５は、インターネット等の公衆通信回線に接続されて情報端末装置との間で通信可能となる。
【００３７】
生産者リストファイルＦ１は、情報端末装置によって生産者名と生産者コードとが対応付けられて作成される。また、品名リストファイルＦ２は、情報端末装置によって商品名と品名コードとが対応付けられて作成される。ラベルプリンタ１００自体では、生産者リストファイルＦ１に記述された生産者名や生産者コード、品名リストファイルＦ２に記述された商品名や品名コードの編集ができないようにしているが、管理者のみが編集できるようにしてもよい。この場合、入力操作部７４で管理者が設定したパスワードを入力して、編集可能に設定すればよい。これにより、農産物の生産者が、登録された生産者名及び商品名を誤って削除してしまったり、変更してしまったりすることを防止できる。
【００３８】
［生産者リストファイルＦ１の記述例］  
図４は、生産者リストファイルＦ１の記述例を示す表図である。図４に示すように、ラベルプリンタ１００では、複数の生産者コード及び生産者の名前が記述された生産者リストファイルＦ１が使用者名情報として内部メモリ７８又は外部メモリ７９内に構築される。例えば、生産者リストファイルＦ１には、「生産者コード：００１、生産者：ＡＢＣ」、「生産者コード：００２、生産者：ＤＥＦ」、「生産者コード：００３、生産者：ＧＨＩ」というような情報が記述される。生産者リストファイルＦ１は、ＣＳＶ（Comma Separated Values）形式で記述されたファイルである。このＣＳＶ形式のファイルは、表計算ソフトやデータベースソフトに利用され、汎用性が高く、データ交換がし易いものである。
【００３９】
入力操作部７４を操作して生産者コードを指定すると、その生産者コードに対応した生産者名が選択され、該選択した生産者名がラベル３０に印字される。例えば、生産者コード「００１」に対応した生産者「ＡＢＣ」を選択する場合、図２に示した入力操作部７４において、十字キーＫ１６を押して「生産者コード００１、生産者：ＡＢＣ」の部分にカーソルを合わせて選択する。又は、「０」キーＫ１０を押して、「０」キーＫ１０を押して、「１」キーＫ１を押して、確定キーＫ１３を押すことで直接生産者コード「００１」を選択してもよい。
【００４０】
［品名リストファイルＦ２の記述例］  
図５は、品名リストファイルＦ２の記述例を示す表図である。図５に示すように、ラベルプリンタ１００では、少なくとも、複数の商品の品名コード、商品名、価格及び生産地が記述された品名リストファイルＦ２が商品名情報として内部メモリ７８又は外部メモリ７９内に構築される。例えば、品名リストファイルＦ２には、「品名コード：１、商品名：トマト、価格：１００円、生産地：熊本県」、「品名コード：２、商品名：なす、価格：２００円、生産地：高知県」、「品名コード：３、商品名：きゅうり、価格：５０円、生産地：群馬県」というような情報が記述される。品名リストファイルＦ２は、前述の生産者リストファイルＦ１と同様に、ＣＳＶ形式で記述されたファイルである。
【００４１】
入力操作部７４を操作して品名コードを指定すると、その品名コードに対応した品名が選択され、該選択した品名がラベル３０に印字される。例えば、品名コード「３」に対応した商品名「きゅうり」を選択する場合、図２に示した入力操作部７４において、十字キーＫ１６を押して「品名コード：３、商品名：きゅうり、価格：５０円、生産地：群馬県」の部分にカーソルを合わせて選択する。又は、「３」キーＫ３、確定キーＫ１３を押すことで直接品名コード「３」を選択してもよい。
【００４２】
［ラベル３０の構成例］  
図６は、ラベル３０の構成例を示す平面図である。図６に示すように、ラベル３０は、生産者リストファイルＦ１で選択される生産者名、品名リストファイルＦ２で選択される商品名、生産地及び価格が印字される。また、ラベル３０は、生産者コード、品名コード及び価格に関する情報が含まれるバーコードが印字される。
【００４３】
例えば、図６では、生産者リストファイルＦ１で生産者コード「００１」を入力すると、生産者の欄に生産者コード「００１」に対応した生産者である「ＡＢＣ」がラベル３０の生産者の欄に印字される。また、品名リストファイルＦ２で品名コード「３」を入力すると、品名コード「３」に対応した商品名である「きゅうり」がラベル３０の商品名の欄に印字され、品名コード「３」に対応した生産地である「群馬県」がラベル３０の生産地の欄に印字され、品名コード「３」に対応した価格である「５０円」がラベル３０の価格の欄に印字される。そして、生産者コード「００１」、品名コード「３」、価格「１００円」を示すバーコードがラベル３０のバーコードの欄に印字される。
【００４４】
［発行履歴ファイルＦ３の記述例］  
図７は、発行履歴ファイルＦ３の記述例を示す表図である。図７に示すように、発行履歴ファイルＦ３には、生産者、商品名、ラベル３０の発行枚数及びラベル３０の発行日の記述欄が設けられる。ラベル３０の発行日は、ラベルプリンタ１００に設けられる図示しないタイマによって設定される。また、図２に示した日付キーＫ１８を操作して生産者自身がラベル３０の発行日を設定してもよい。
【００４５】
発行履歴ファイルＦ３には、例えば、「生産者、商品名、発行枚数、発行日」が、「ＡＢＣ、きゅうり、１５０枚、２００９年６月１日」、「ＤＥＦ、トマト、５０枚、２００９年６月１日」、「ＧＨＩ、なす、１２０枚、２００９年６月３日」のように記述される。このような発行履歴ファイルＦ３の内容は、履歴情報として内部メモリ７８に保存される。また、発行履歴ファイルＦ３の内容は、履歴情報として外部メモリ７９に保存されるようにしてもよい。
【００４６】
［ラベルプリンタ１００の動作例］  
次に、ラベルプリンタ１００の動作例について説明する。生産者によってラベルプリンタ１００の電源が入れられて、ＣＰＵ８０は、ＲＯＭ８１からプログラムデータＤ８１をＲＡＭ８２へ読み出してシステムを起動し、内部メモリ７８又は外部メモリ７９から生産者リストファイルＦ１及び品名リストファイルＦ２を読み出してＲＡＭ８２に生産者名情報及び商品名情報として一時記憶したことを前提とする。
【００４７】
図８は、ラベルプリンタ１００の動作例を示すフローチャートである。図８に示すように、ステップＳＴ１では、ＣＰＵ８０は、ＲＡＭ８２から生産者名情報を読み出して、ＬＣＤ７５に図４で示したような当該生産者リストファイルＦ１を表示させる。そして、ＣＰＵ８０は、生産者リストファイルＦ１に記述された複数の生産者名（生産者コード）の中から所望の生産者名の選択を受け付ける。
【００４８】
例えば、ラベルプリンタ１００に登録されている生産者が３００名である場合、生産者リストファイルＦ１には、３００項目の生産者名が記述される。商品を生産した生産者が「ＡＢＣ」の場合、ＬＣＤ７５に表示された３００名の生産者の中から自分の生産者名又は生産者コードを見つけ出す。そして、この生産者（ＡＢＣ）が入力操作部７４を操作して生産者コード「００１」を選択すると、入力操作部７４から操作データＤ７４が出力される。この操作データＤ７４は、生産者コード「００１」という情報が含まれる。操作データＤ７４は、Ｉ／Ｏ８６を介してＣＰＵ８０に入力される。ＣＰＵ８０は、入力された操作データＤ７４を内部記憶データＤ８２としてＲＡＭ８２に記憶させる。
【００４９】
ステップＳＴ２に移行して、ＣＰＵ８０は、ＲＡＭ８２から商品名情報を読み出して、ＬＣＤ７５に図５で示したような当該品名リストファイルＦ２を表示させる。そして、ＣＰＵ８０は、品名リストファイルＦ２に記述された複数の商品名（品名コード）の中から所望の商品名の選択を受け付ける。
【００５０】
例えば、ラベルプリンタ１００に登録されている商品名が１００品目である場合、品名リストファイルＦ２には、１００項目の商品名が記述される。生産者は、ＬＣＤ７５に表示された１００品目の商品の中から自分が生産した商品名又は品名コードを見つけ出す。そして、生産者が入力操作部７４を操作して品名コード「３」が選択されると、入力操作部７４から操作データＤ７４が出力される。この操作データＤ７４は、品名コード「３」という情報が含まれる。前述のステップＳＴ１と同様に、操作データＤ７４は、Ｉ／Ｏ８６を介してＣＰＵ８０に入力される。ＣＰＵ８０は、入力された操作データＤ７４を内部記憶データＤ８２としてＲＡＭ８２に記憶させる。
【００５１】
ステップＳＴ３に移行して、ＣＰＵ８０は、ＬＣＤ７５にラベル３０の発行枚数を要求する画面を表示させる。そして、ＣＰＵ８０は、ラベル３０の発行枚数を受け付ける。
【００５２】
例えば、ラベル３０を１５０枚発行する場合、「１」キーＫ１を押して、「５」キーＫ５を押して、「０」キーＫ１０を押して、確定キーＫ１３を押すことで、発行枚数「１５０枚」という情報が含まれる操作データＤ７４が入力操作部７４から出力される。操作データＤ７４は、Ｉ／Ｏ８６を介してＣＰＵ８０に入力される。ＣＰＵ８０は、入力された操作データＤ７４を内部記憶データＤ８２としてＲＡＭ８２に記憶させる。
【００５３】
ステップＳＴ４に移行して、ＣＰＵ８０は、ラベル３０の発行又は取り消しの入力を受け付ける。発行キーＫ１２が押されてラベル３０の発行を実行する情報が入力された場合には、ステップＳＴ５に移行して、ＣＰＵ８０は、ラベル３０の発行処理を実行する。取消キーＫ１９が押されてラベル３０の発行の取り消しが入力された場合には、ラベル３０の発行処理を実行しないでラベルプリンタ１００の動作を終了する。
【００５４】
ステップＳＴ５では、ＣＰＵ８０は、ＲＡＭ８２に記憶した内部記憶データＤ８２を読み出して、ラベル発行処理を実行する。例えば、内部記憶データＤ８２は、生産者名情報の一例である生産者コード、商品名情報の一例である品名コード及びラベル３０の発行枚数が含まれる。ＣＰＵ８０は、ＲＡＭ８２に記憶した生産者名情報及び商品名情報を合成して印字情報を作成する。
【００５５】
例えば、ステップＳＴ１で生産者コード「００１」が選択され、ステップＳＴ２で品名コード「３」が選択され、ステップＳＴ３でラベル３０の発行枚数「１５０枚」が選択されたので、図６で示したように、ＣＰＵ８０は、これらを合成した「生産者：ＡＢＣ、商品名：きゅうり、生産地：群馬県、価格：５０円」のような文字・数字とこれに関連したバーコードとで構成される印字情報を作成する。そして、ＣＰＵ８０が作成した印字情報に基づいて印字ユニット７によってラベル３０に印字させることで、当該ラベル３０が１５０枚発行される。
【００５６】
ステップＳＴ６に移行して、ＣＰＵ８０は、内部メモリ７８又は外部メモリ７９に発行履歴を保存する。例えば、図７に示したように、ＣＰＵ８０は、ＲＡＭ８２に記憶された発行履歴ファイルＦ３に「生産者：ＡＢＣ、品名：きゅうり、発行枚数：１５０枚、発行日：２００９年６月１日」のような情報を記述する。そして、ＣＰＵ８０は、記述された発行履歴ファイルＦ３をＲＡＭ８２から内部メモリ７８又は外部メモリ７９に転送して保存する。
【００５７】
このように、本実施の形態に係るラベルプリンタ１００によれば、ＣＰＵ８０は、複数の生産者名が記述された生産者リストファイルＦ１及び複数の商品名が記述された品名リストファイルＦ２が保存された内部メモリ７８又は外部メモリ７９を読み出してＲＡＭ８２に記憶する。そして、ＣＰＵ８０は、ＲＡＭ８２に記憶された生産者リストファイルＦ１及び品名リストファイルＦ２を読み出す。ＬＣＤ７５が、ＣＰＵ８０よって読み出された生産者リストファイルＦ１から複数の生産者名を表示し、品名リストファイルＦ２から少なくとも、複数の商品名、価格、生産地等を表示する。ＬＣＤ７５によって表示された複数の生産者名及び複数の商品名の中から所望の生産者名及び所望の商品名を入力操作部７４によって選択する。ＣＰＵ８０が、入力操作部７４によって選択された所望の生産者名及び所望の商品名を合成して印字情報を作成する。印字ユニット７が、ＣＰＵ８０によって作成された印字情報に基づいて所望の生産者名及び所望の商品名をラベル３０に印字する。
【００５８】
この構成により、生産名のみ又は商品名のみをＬＣＤ７５に表示させることができるようになる。これにより、ラベルプリンタ１００は、従来のラベルプリンタに比べて生産者名及び商品名を選択する項目が削減できるようになる。この結果、生産者が所望の項目を見つけやすくなり、簡単な操作でラベル３０に所望の文字や数字を印字できるラベルプリンタ１００を提供することができる。また、ラベルプリンタ１００を簡単に操作できるので、ラベル３０に間違って印字されることを防止でき、ラベル印字用のロール紙の使用を低減できる。
【００５９】
なお、本実施の形態では、図８のステップＳＴ１で生産者リストファイルＦ１の選択受付処理を実行してから、ステップＳＴ２に移行して、品名リストファイルＦ２の選択受付処理を実行するようにしたが、品名リストファイルＦ２の選択受付処理を実行してから生産者リストファイルＦ１の選択受付処理を実行してもよい。これにより、生産者は、ＬＣＤ７５に表示された商品名（品名コード）を選択してから、生産者名（生産者コード）を選択することができる。
【００６０】
＜第２の実施の形態＞  
本実施の形態では、前述のラベルプリンタ１００を応用した商品販売システム１について説明する。前述の実施の形態と同じ名称及び符号のものは同じ機能を有するので、その説明を省略する。
【００６１】
［商品販売システム１の構成例］  
図９は、本実施の形態に係る商品販売システム１の構成例を示すブロック図である。図９に示すように、商品販売システム１は、ラベルプリンタ１００及びＰＯＳ（Point of sale）端末２で構成される。
【００６２】
ラベルプリンタ１００は、前述の第１の実施の形態で説明したものと同じものである。ラベルプリンタ１００には当該ラベルプリンタ１００の外部端子８５を介してＰＯＳ端末２が接続される。ＰＯＳ端末２は、情報管理装置の一例であり、パーソナルコンピュータやキャッシュレジスタ装置等で構成されるものである。
【００６３】
ＰＯＳ端末２は、ラベルプリンタ１００の外部端子８５を介してラベル３０の発行枚数に関する情報である枚数情報Ｂ３を取得する。また、ＰＯＳ端末２は、ラベルプリンタ１００で発行されるラベル３０に印字されるバーコードから生産者コード、品名コード及び価格を含む情報である品物情報Ｂ２を取得する。
【００６４】
農産物Ｂ１を収穫した生産者３は、例えば、商品販売システム１が設置される店舗に農産物Ｂ１を持参して、ラベルプリンタ１００で農産物Ｂ１の情報（商品名、生産者名、生産地及び価格等）が記載されたラベル３０を発行する。そして、農産物Ｂ１にラベルプリンタ１００によって発行されたラベル３０を貼り付けて陳列棚に配置する。
【００６５】
図示しない消費者が農産物Ｂ１を購入する場合、農産物Ｂ１を、ＰＯＳ端末２を構成するキャッシュレジスタ装置まで持っていき、農産物Ｂ１に貼り付けられたラベル３０に印字されるバーコードをキャッシュレジスタ装置によって読み取らせる。すると、バーコードに記述される商品名及びその商品の価格が、キャッシュレジスタ装置が有するＬＣＤ又は蛍光表示管等で構成される表示手段に表示される。そして、消費者は、商品の代金を支払って農産物Ｂ１を購入する。このとき、キャッシュレジスタ装置は、消費者が購入した農産物Ｂ１に貼り付けられたラベル３０のバーコードを読み取ったので、このバーコードに含まれる情報のうち、農産物Ｂ１の商品名、価格及び生産者名が、当該キャッシュレジスタ装置が備える記憶手段に記憶される。キャッシュレジスタ装置の記憶手段に記憶された農産物Ｂ１の商品名、価格及び生産者名から、生産者３に支払う代金Ｂ４が算出され、該算出された代金Ｂ４が生産者に支払われる。
【００６６】
［商品販売システム１の動作例］  
次に、商品販売システム１の動作例について説明する。図１０は、商品販売システム１の動作例を示すフローチャートである。図１０に示すように、ステップＳＴ１１では、ＰＯＳ端末２は、ラベルプリンタ１００によって発行されて農産物Ｂ１に貼り付けられたラベル３０の内容（生産者コード、品名コード及び価格等）を、当該ラベル３０に印字されたバーコードを読み取って受信する。
【００６７】
ステップＳＴ１２に移行して、ＰＯＳ端末２は、受信したラベル３０の内容から生産者コード、品名コード及び価格を含む情報である品物情報Ｂ２を抽出する。ＰＯＳ端末２は、この抽出を繰り返して１日に売り上げた農産物Ｂ１の品物情報Ｂ２を集計する。
【００６８】
ステップＳＴ１３に移行して、ＰＯＳ端末２は、当該ＰＯＳ端末２に接続されたラベルプリンタ１００から生産者３が発行したラベル３０の枚数に関する枚数情報Ｂ３を受信する。
【００６９】
ステップＳＴ１４に移行して、ＰＯＳ端末２は、品物情報Ｂ２及び枚数情報Ｂ３から生産者３に支払う代金Ｂ４を算出する。例えば、生産者３は、商品販売システム１が設置された店舗に５０円のきゅうりを販売するために１５０本持参する。そして、生産者３は、ラベルプリンタ１００でラベル３０を発行してきゅうりに貼り付ける。このラベル３０は、図６に示した「商品名：きゅうり、生産地：群馬県、生産者：ＡＢＣ、価格：５０円」のような情報が印字されたものである。このラベル３０を１枚発行するのにかかる値段を１円とすると、ＰＯＳ端末２は、５０円×１５０本−１円×１５０枚＝７３５０円という生産者３に支払うべき代金Ｂ４を算出する。生産者３にはＰＯＳ端末２によって算出された代金Ｂ４である７３５０円が支払われる。
【００７０】
このように、本実施の形態に係る商品販売システム１によれば、ラベルプリンタ１００が、生産者３が収穫した農産物Ｂ１に関する品物情報Ｂ２を含むラベル３０を印字し、かつ、ＰＯＳ端末２にラベル３０の発行に関する枚数情報Ｂ３をＰＯＳ端末２に出力する。ＰＯＳ端末２が、ラベルプリンタ１００によって発行されたラベル３０から品物情報Ｂ２を取得し、かつ、ラベルプリンタ１００によって出力された枚数情報Ｂ３を取得する。そして、ＰＯＳ端末２は、生産者３に支払うべき代金Ｂ４を算出する。これにより、生産者３に簡単にラベル３０の代金を請求できるようになる。
【産業上の利用可能性】
【００７１】
この発明は、複数の生産者が収穫した農産物等を販売するスーパーマーケットや農産物の直売所のような店舗に設置されるラベルプリンタに適用し、極めて好適である。
【符号の説明】
【００７２】
１  商品販売システム
２  ＰＯＳ端末
３  生産者
７  印字ユニット（印字手段）
８  制御手段
３０  ラベル
７４  入力操作部（選択手段）
７５  液晶ディスプレイ（表示手段）
７８  内部メモリ
７９  外部メモリ
１００  ラベルプリンタ
【図１】
2010284955.tif 000003
【図２】
2010284955.tif 000004
【図３】
2010284955.tif 000005
【図４】
2010284955.tif 000006
【図５】
2010284955.tif 000007
【図６】
2010284955.tif 000008
【図７】
2010284955.tif 000009
【図８】
2010284955.tif 000010
【図９】
2010284955.tif 000011
【図１０】
2010284955.tif 000012
【図１１】
2010284955.tif 000013